【手続補正書】
【提出日】平成27年2月2日(2015.2.2)
【手続補正１】
【補正対象書類名】特許請求の範囲
【補正対象項目名】全文
【補正方法】変更
【補正の内容】
【特許請求の範囲】
【請求項１】
移動通信システムにおける端末による方法であって、
基地局からグループに対するレージング状態が含まれたレージング応答メッセージを受信するステップと、
前記グループに対するレージング状態が成功であると、前記基地局にレージングコードを送信するステップと、を含み
前記レージング応答メッセージは、前記グループのグループ代表(group delegate)端末によって送信されたレージングコードに対する前記レージング状態を含むことを特徴とする方法。
【請求項２】
前記端末は、予め定められた時間の間、前記レージング応答メッセージの受信を待機することを特徴とする請求項１に記載の方法。
【請求項３】
前記基地局にレージングコードを送信するステップは、前記端末に対する前記レージングコードを前記基地局に送信することにより、ネットワーク再進入手順を開始するステップを含むことを特徴とする請求項１に記載の方法。
【請求項４】
前記グループに対するレージング状態が中止(abort)である場合、レージング中止タイマー(ranging abort timer)を開始させ、前記レージング中止タイマーが満了するまでレージング手順を中止するステップをさらに含むことを特徴とする請求項１に記載の方法。
【請求項５】
前記グループに対するレージング状態が継続(continue)である場合、前記グループ代表端末は、前記グループ代表端末によって送信されたレージングコードのパラメータを調整し、前記調整されたパラメータが含まれたレージングコードを基地局に送信するステップをさらに含むことを特徴とする請求項１に記載の方法。
【請求項６】
前記グループ代表端末は、前記グループに含まれた複数の端末のうちランダム(random)に選択されることを特徴とする請求項１に記載の方法。
【請求項７】
前記グループに対するレージング状態が前記成功である場合、前記グループ代表端末が変更されることを特徴とする請求項１に記載の方法。
【請求項８】
前記グループに対するレージング状態が前記中止である場合、前記グループ代表端末が変更されないことを特徴とする請求項４に記載の方法。
【請求項９】
前記グループに対するレージング状態が前記継続である場合、前記グループ代表端末が変更されないことを特徴とする請求項５に記載の方法。
【請求項１０】
前記グループ代表端末によって送信されたレージングコードは応用のための追加レージングコードと直交し、前記追加レージングコードは、循環シフト関数を有するZadoff-Chuシーケンスから生成されることを特徴とする請求項１に記載の方法。
【請求項１１】
前記グループ代表端末によって送信されたレージングコードと前記追加レージングコードが一つのフレームで構成されるレージング機会(ranging opportunity)は４回であることを特徴とする請求項１０に記載の方法。
【請求項１２】
前記グループ代表端末によって送信されたレージングコードと前記追加レージングコードが一つのフレームで構成されるレージング機会(ranging opportunity)は１回であることを特徴とする請求項１０に記載の方法。
【請求項１３】
前記グループ代表端末によって送信されたレージングコードと前記追加レージングコードが一つのフレームで構成されるレージング機会(ranging opportunity)は２回であることを特徴とする請求項１０に記載の方法。
【請求項１４】
前記グループ代表端末によって送信されたレージングコードは、前記グループに対する代表レージングコードであることを特徴とする請求項１に記載の方法。
【請求項１５】
移動通信システムにおける基地局による方法であって、
グループ代表端末からグループに対するレージングコードを受信するステップと、
前記グループに対するレージング状態が含まれたレージング応答メッセージを前記グループに含まれた複数の端末に送信するステップと、を含み、
前記グループに対するレージング状態が成功(success)である場合、前記複数の端末のそれぞれから各端末に対するレージングコードを受信することを特徴とする方法。
【請求項１６】
前記グループに対するレージング状態が継続である場合、前記グループ代表端末から前記グループに対するレージングコードのパラメータが調整されたレージングコードを受信するステップをさらに含むことを特徴とする請求項１５に記載の方法。
【請求項１７】
前記グループ代表端末は、前記複数の端末のうちランダム(random)に選択されることを特徴とする請求項１５に記載の方法。
【請求項１８】
前記グループに対するレージング状態が前記成功である場合、前記グループ代表端末が変更されることを特徴とする請求項１５に記載の方法。
【請求項１９】
前記グループに対するレージング状態が前記中止または前記継続である場合、前記グループ代表端末が変更されないことを特徴とする請求項１５に記載の方法。
【請求項２０】
前記グループに対するレージングコードは応用のための追加レージングコードと直交し、前記追加レージングコードは、循環シフト関数を有するZadoff-Chuシーケンスから生成されることを特徴とする請求項１５に記載の方法。
【請求項２１】
前記グループに対するレージングコードと前記追加レージングコードが一つのフレームで構成されるレージング機会(ranging opportunity)は４回であることを特徴とする請求項２０に記載の方法。
【請求項２２】
前記グループに対するレージングコードと前記追加レージングコードが一つのフレームで構成されるレージング機会(ranging opportunity)は１回であることを特徴とする請求項２０に記載の方法。
【請求項２３】
前記グループに対するレージングコードと前記追加レージングコードが一つのフレームで構成されるレージング機会(ranging opportunity)は２回であることを特徴とする請求項２０に記載の方法。
【請求項２４】
前記グループに対するレージングコードは、前記グループに対する代表レージングコードであることを特徴とする請求項１５に記載の方法。
【請求項２５】
移動通信システムの端末における装置であって、
基地局からグループに対するレージング状態が含まれたレージング応答メッセージを受信する受信部と、
前記グループに対するレージング状態が成功である場合、前記基地局にレージングコードを送信する送信部と、を含み、
前記レージング応答メッセージは、前記グループのグループ代表端末によって送信されたレージングコードに対する前記レージング状態を含むことを特徴とする装置。
【請求項２６】
前記複数の端末は、予め定められた時間の間、前記レージング応答メッセージの受信を待機することを特徴とする請求項２５に記載の装置。
【請求項２７】
前記グループに対するレージング状態が成功(success)である場合、前記送信部は、ネットワーク進入手順を開始するように前記端末に対するレージングコードを前記基地局に送信することを特徴とする請求項２５に記載の装置。
【請求項２８】
前記グループに対するレージング状態が中止(abort)である場合、前記制御部は、前記端末がレージング中止タイマー(ranging abort timer)を開始させ、前記レージング中止タイマーが満了するまでレージング手順を中止するように制御することを特徴とする請求項２５に記載の装置。
【請求項２９】
前記グループに対するレージング状態が継続(continue)である場合、前記制御部は、前記グループ代表端末によって送信されたレージングコードのパラメータを調整し、前記調整されたパラメータが含まれたレージングコードを基地局に送信するように制御することを特徴とする請求項２５に記載の装置。
【請求項３０】
前記グループ代表端末は、前記グループに含まれた複数の端末のうちランダム(random)に選択されることを特徴とする請求項２５に記載の装置。
【請求項３１】
前記制御部は、前記グループに対するレージング状態が前記成功である場合、前記グループ代表端末を変更することを特徴とする請求項２５に記載の装置。
【請求項３２】
前記制御部は、前記グループに対するレージング状態が前記中止である場合、前記グループ代表端末を変更しないことを特徴とする請求項２８に記載の装置。
【請求項３３】
前記制御部は、前記グループに対するレージング状態が前記継続である場合、前記グループ代表端末を変更しないことを特徴とする請求項２９に記載の装置。
【請求項３４】
前記グループ代表端末によって送信されたレージングコードは応用のための追加レージングコードと直交し、前記追加レージングコードは、循環シフト関数を有するZadoff-Chuシーケンスから生成されることを特徴とする請求項２５に記載の装置。
【請求項３５】
前記グループ代表端末によって送信されたレージングコードと前記追加レージングコードが一つのフレームで構成されるレージング機会(ranging opportunity)は４回であることを特徴とする請求項３４に記載の装置。
【請求項３６】
前記グループ代表端末によって送信されたレージングコードと前記追加レージングコードが一つのフレームで構成されるレージング機会(ranging opportunity)は１回であることを特徴とする請求項３４に記載の装置。
【請求項３７】
前記グループ代表端末によって送信されたレージングコードと前記追加レージングコードが一つのフレームで構成されるレージング機会(ranging opportunity)は２回であることを特徴とする請求項３４に記載の装置。
【請求項３８】
前記グループ代表端末によって送信されたレージングコードは前記グループに対する代表レージングコードであることを特徴とする請求項２５に記載の装置。
【請求項３９】
移動通信システムにおける基地局の装置であって、
グループ代表端末からグループに対するレージングコードを受信する受信部と、
前記グループに対するレージング状態が含まれたレージング応答メッセージを前記グループに含まれた複数の端末に送信する送信部と、を含み、
前記グループに対するレージング状態が成功である場合、前記複数の端末のそれぞれから各端末に対するレージングコードを受信することを特徴とする装置。
【請求項４０】
前記グループに対するレージング状態が継続である場合、前記受信部は、前記グループ代表端末から前記グループに対するレージングコードのパラメータが調整されたレージングコードを受信することを特徴とする請求項３９に記載の装置。
【請求項４１】
前記グループ代表端末は、前記複数の端末のうちランダム(random)に選択されることを特徴とする請求項３９に記載の装置。
【請求項４２】
前記グループに対するレージング状態が前記成功である場合、前記グループ代表端末が変更されることを特徴とする請求項３９に記載の装置。
【請求項４３】
前記グループに対するレージング状態が前記中止または前記継続である場合、前記グループ代表端末が変更されないことを特徴とする請求項３９に記載の装置。
【請求項４４】
前記グループに対するレージングコードは応用のための追加レージングコードと直交し、前記追加レージングコードは、循環シフト関数を有するZadoff-Chuシーケンスから生成されることを特徴とする請求項３９に記載の装置。
【請求項４５】
前記グループに対するレージングコードと前記追加レージングコードが一つのフレームで構成されるレージング機会(ranging opportunity)は４回であることを特徴とする請求項４４に記載の装置。
【請求項４６】
前記グループに対するレージングコードと前記追加レージングコードが一つのフレームで構成されるレージング機会(ranging opportunity)は１回であることを特徴とする請求項４４に記載の装置。
【請求項４７】
前記グループに対するレージングコードと前記追加レージングコードが一つのフレームで構成されるレージング機会(ranging opportunity)は２回であることを特徴とする請求項４４に記載の装置。
【請求項４８】
前記グループに対するレージングコードは前記グループに対する代表レージングコードであることを特徴とする請求項３９に記載の装置。
【請求項４９】
移動通信システムにおける複数の端末を含むグループのグループ代表端末による方法であって、
グループＩＤに基づいてレージングコードセットからレージングコードを選択するステップと、
前記基地局に前記レージングコードを送信するステップと、
前記基地局からグループに対するレージング状態を含むレージング応答メッセージを受信するステップと、
前記グループに対するレージング状態が成功(success)である場合、前記基地局に前記グループ代表端末に対するレージングコードを送信するステップと、を含むことを特徴とする方法。
【請求項５０】
移動通信システムにおける複数の端末を含むグループのグループ代表端末による装置であって、
グループＩＤに基づいてレージングコードセットからレージングコードを選択する制御部と、
前記基地局に前記レージングコードを送信する送信部と、
前記基地局からグループに対するレージング状態を含むレージング応答メッセージを受信する受信部と、を含み、
前記送信部は、前記グループに対するレージング状態が成功(success)である場合、前記基地局に前記グループ代表端末に対するレージングコードを送信することを特徴とする装置。